(57)【要約】【課題】カード取込み時、カードが一定時間内に取り込みが不可能な場合で、カードが抜き取り方向に移動したとき、カードとローラの摩擦力で、カードにスリップ跡が付く事がある。本発明は、上記スリップ跡が発生しないカード搬送機構を提供すること。【解決手段】カード挿入口に挿入されたカードがカード挿入検知センサを通過し、更に奥のカード通過検知センサを検知しない場合は、カード搬送ローラの速度を減速する。又、カードがカード挿入検知センサを通過し、更に奥のカード通過検知センサを検知したが、カード通過検知センサが検出した状態で、カード通過検知センサの検出が無くなった場合、カード搬送ローラの回転を排出方向へ逆転してカードを排出する。【選択図】  図４
2004292104.tif 000002
【特許請求の範囲】
【請求項１】
カードを挿入するカード挿入口に挿入されたカードが、カードが挿入されたことを検出するカード挿入検知センサと、挿入されたカードを装置内へ搬送する搬送ローラと、カード挿入検知センサより更にカード挿入方向に設置されたカード検知センサとカード搬送ローラの回転速度を変更するモータより構成され、カード挿入口に挿入されたカードがカード挿入検知センサを通過し、更に奥のカード通過検知センサを検知しない場合は、カード搬送ローラの速度を減速することを特徴とするカード搬送機構。
【請求項２】
請求項１の構成のカード搬送機構で、カードがカード挿入検知センサを通過し、更に奥のカード通過検知センサを検知したが、カード挿入検知センサが検出した状態で、カード通過検知センサの検出が無くなった場合、カード搬送ローラの回転を排出方向へ逆転してカードを排出することを特徴とするカード搬送機構。
【請求項３】
請求項１の構成のカード搬送機構で、請求項１、２の特徴を組み合わせた特徴のカード搬送機構。
【発明の詳細な説明】
【０００１】
【発明の属する技術分野】
本発明は、磁気カードの磁気を検知して、カードを装置内に取り込み、磁気カードの情報の読み出し又は、書き込みをする磁気カード搬送機構に関する。
【０００２】
【従来の技術】
カード搬送機構では、カード挿入口に挿入された磁気カードは、カード挿入検知センサにより、磁気カードの磁気を検知して、磁気カードが装置内に入ったことを認識して、装置内にカードを搬送する。
【０００３】
カードがカード挿入口にて、ジャムになった場合、カードを挟んだ状態で搬送ローラが回り続けて、カードの表面にローラのスリップ跡が付くことがあった。
【０００４】
また、特開２００２−３００５号公報記載のようなカード搬送機構においは、カードの厚さや材質に違いがあったとき、搬送ローラと搬送面とのギャップを調整することによりジッタ−を生じなくするとを特徴とするカード搬送機構であり、カードを傷つけずに搬送することを目的としていなかった。
【０００５】
【特許文献１】
特開２００２−３００５号公報
【０００６】
【発明が解決しようとする課題】
従来のカード搬送機構１０は、カード挿入口３にて、カード１７がジャムをした時、カード１７と搬送ローラ２１の間にてスリップが生じ、カード表面に、ローラのスリップ跡が付くことがあった。
【０００７】
または、カードの表裏を間違えて挿入したとき、取引カードを間違えてカード挿入口３にいれたことに気が付き、急にカード１７を引き抜く動作をした時、カード１７と搬送ローラ２１の間にてスリップが生じ、カード表面に、ローラのスリップ跡が付くことがあった。
【０００８】
本発明のカード搬送機構１０は、このような欠点を克服し、カードを傷つけずに搬送することを目的とする。
【０００９】
【課題を解決するための手段】
本発明のカード搬送機構１０は、カード１７が搬送させられる搬送面と、この搬送面に設けられ、カード１７に対し情報を読書きするヘッド２３と、前記搬送面上に配置されるカード挿入口３より挿入されたカード１７に対し、前記ヘッド２３上を走行させる搬送用ローラ２１とカード１７が挿入されたことを検出するカード挿入検知センサ１９と、カード挿入検知センサ１９より更にカード挿入方向に設けられたカード検知センサ２２とカード搬送ローラ２１の回転数を変更するモータ２４より構成され、カード挿入口３に挿入されたカード１７がカード挿入検知センサ１９を通過し、さらに奥のカード通過検知センサ２２に検知しない場合は、カード搬送ローラ２１の速度を減速するカード搬送ローラ速度調整機構を含むことを特徴とする。
【００１０】
本発明のカード搬送機構１０は、カード１７がカード挿入検知センサ１９を通過し、更に奥のカード通過検知センサ２２を検知したがカード挿入検知センサ１９が検出した状態で、カード通過検知センサ２２の検出が無くなった場合、カード搬送ローラ２１の回転を排出方向に逆転してカード１７を排出する搬送ローラ回転逆転機構を含むことを特徴とする。
【００１１】
【発明の実施の形態】
本発明の一実施例を図１〜図４にて説明する。
【００１２】
図１は、本発明の実施例を適用した現金自動取扱装置１の外観図である。
【００１３】
現金自動取扱装置１の外観は、利用者の所有する通帳を挿入する通帳取扱口２、金融機関で発行されるキャッシュカードを挿入するカード挿入口３、利用者が現金自動取扱装置１で入金、出金、振込等の取引をした場合に明細票を利用者に発行する明細票放出口４、利用者が振込取引時に千円未満の金額を入金したり、おつりとして硬貨を出金する硬貨入出金口５、利用者が紙幣を入金したり出金したりする紙幣入出金口６、利用者が現金自動取扱装置１を操作時に見たり、表示ボタンを押したりする顧客操作画面７、利用者が現金自動取扱装置１の前に来たことを検知したり、現金自動取扱装置１の前を去ったことを検知したりする顧客センサ８を装備している。
【００１４】
図２は、前述した図１の現金自動取扱装置１の内部ブロック図である。尚、図１と同等の機能を有するものについては同一の符号を付し説明を省略する。現金自動取扱装置１の構成には、通帳のページをめくって取引内容を印字したり、新規または繰越通帳を発行する通帳印字機構９、カードの磁気ストライプのデータを読み書きする磁気カード搬送機構１０、取引内容を印字して明細票として利用者に発行する明細票印字機構１１、ＡＴＭの運用情報の履歴をジャーナル用紙に印字するジャーナル印字機構１２、五百円、百円、五十円、十円、五円、一円の硬貨を入金し鑑別部で真偽を鑑別し収納部へ収納し、出金時は収納部の硬貨を搬送して出金する硬貨入出金機構１３、万円券千円券を入金し鑑別部で真偽を鑑別し収納部へ収納し、出金時は収納部の紙幣を搬送して出金する紙幣入出金機構１４、振込券を印字発行する振込券発行機構１５、顧客操作画面７、顧客センサ８、各機構を制御する制御部１６から構成される。通帳印字機構９は、図１の通帳取扱口２の後方に、カード搬送機構１０は、図１のカード挿入口３、明細印字行機構１１は、図１の明細票放出口４の後方に、振込券発行機構１５はカード搬送機構１０の後方に、硬貨入出金機構１３、紙幣入出金機構１４は、図１の顧客操作画面７の下部に実装される。
【００１５】
図３は、本発明の実施例を適用した現金自動取扱装置１のカード搬送機構１０を示す構成図である。
【００１６】
図３において、金融機関等で使用される磁気カード１７を挿入するカード挿入口３に挿入されたカード１７は、挿入されたカード１７を装置内へ搬送する搬送ローラ２１により、カード１７が挿入されたことを検出するカード挿入検知センサ１９や、カード１７の磁気ストライプの磁気を検出する磁気検知センサ２０や、カード挿入検知センサ１９より更にカード挿入方向に設置されるカード通過検知センサ２２や、カード１７の磁気ストライプの情報を読書きするヘッド２３より構成され、カード挿入口３に挿入されたカード１７が、カード挿入検知センサ１９を検知したが、更に奥のカード通過検知センサ２２を検知しない場合は、カード搬送ローラ２１の回転速度を変更するモータ２４により、カード搬送ローラ２１の速度を減速する。
【００１７】
又は、上記構成で、カード１７がカード挿入検知センサ１９を通過し、更に奥のカード通過検知センサ２２を検知したが、カード挿入検知センサ１９が検出した状態で、カード通過検知センサ２２の検出が無くなった場合、モータ２４により、カード搬送ローラ２１の回転を排出方向へ逆転する。
【００１８】
カード通過検知センサ２２は、カードを挿入してカードを持って一番奥にカード１７を挿入して、カードの先端が、カード通過検知センサ２２を検出する位置に設けられる。
【００１９】
図４は、本発明の実施例を適用した現金自動取扱装置１のカード搬送機構１０の動作フロー図である。
【００２０】
銀行等の金融機関のＡＴＭにて、磁気カ−ド１７をカード挿入口３へ挿入する（Ｓ１）。カード１７の先端が挿入検知センサ１９を検知する（センサダーク）（Ｓ２）。カード１７の先端が更に奥の通過検知センサ２２を検知する（センサダーク）（Ｓ３）。カード挿入者が、カードの表裏を間違えたときや、取引カードを間違えた等で、カードを急に抜き取ろうとした時、カード１７が挿入検知センサ１９を検知した状態（センサダーク）で、通過検知センサ２２がライトになる（Ｓ４）。このとき、カード搬送ローラ２１の搬送方向を逆転して、カードを排出する（Ｓ５）ことにより、カードが搬送ローラ２１とのスリップが無くなる。カード挿入者にカードの再取込のガイダンスを流し（Ｓ６）、カードの表裏の間違いや、取引カードの間違いを直してもらう。
【００２１】
又、（Ｓ２）以降、カードが挿入口３でジャムになった場合、設定時間になっても、カード１７の先端が通過検知センサ２２を検知しなくなり（センサライト）（Ｓ７）、カード搬送ローラ２１の搬送速度を減速する（Ｓ８）ようにすることにより、カードが搬送ローラ２１との摩擦力が減少しスリップによる傷が付きにくくなる。更に設定時間になっても、カード１７の先端が通過検知センサ２２を検知しない（センサライト）（Ｓ９）とき、カードジャムのエラーを上位に上げる（Ｓ１０）。
【００２２】
（Ｓ５）（Ｓ８）の動作をすることにより、カードを傷つけずに搬送することが可能になる。
【００２３】
又、カードの正常な動作は以下の動きとなる。上記（Ｓ３）の動作後、カード１７の後端が挿入検知センサ１９を通過する（センサライト）（Ｓ１１）。カード１７の後端が通過検知センサ２２を通過する（センサライト）（Ｓ１２）。カード１７が磁気ヘッド２３を通過して、磁気ストライプの情報を読書きする（Ｓ１３）。カード１７の先端が通過検知センサ２２を検知する（センサダーク）（Ｓ１４）。カード１７の先端が挿入検知センサ１９を検知する（センサダーク）（Ｓ１５）。カード１７の後端が通過検知センサ２２を通過する（センサライト）（Ｓ１６）。カード１７の後端が挿入検知センサ１９を通過する（センサライト）（Ｓ１７）。カード１７をＡＴＭのカード挿入口３へ放出後（Ｓ１８）、カード受取りのガイダンスをＡＴＭから流す（Ｓ１９）。
【００２４】
【発明の効果】
以上のべたように、本発明によれば、カード搬送機構は、カードが挿入されたことを検出するカード挿入検知センサと、挿入されたカードを装置内へ搬送する搬送ローラと、カード挿入検知センサより更にカード挿入方向に設置されたカード検知センサとカード搬送ローラの回転速度を変更したり、逆転したりするモータより構成される。
【００２５】
このカード搬送機構は、カード挿入口に挿入されたカードがカード挿入検知センサを通過し、更に奥のカード通過検知センサを検知しない場合は、カード搬送ローラの速度を減速するようにしてある。又、カードがカード挿入検知センサを通過し、更に奥のカード通過検知センサを検知したが、カード通過検知センサが検出した状態で、カード通過検知センサの検出が無くなった場合、カード搬送ローラの回転を排出方向へ逆転してカードを排出するようにしてある。
【００２６】
このため、カード挿入口での急な抜きとりや、ジャムによる搬送ローラのスリップによる傷をなくすことが出来る。
【図面の簡単な説明】
【図１】本発明の実施例を適用した現金自動取扱装置１の外観図。
【図２】本発明の実施例を適用した現金自動取扱装置１の内部ブロック図。
【図３】本発明の実施例を適用した現金自動取扱装置１のカード搬送機構１０を示す構成図。
【図４】本発明の実施例を適用した現金自動取扱装置１のカード搬送機構１０の動作フロー図。
【符号の説明】
１…現金自動取扱装置、２…通帳取扱口、３…カード挿入口、４…明細票放出口、５…硬貨入出金口、６…紙幣入出金口、７…顧客操作画面、８…顧客センサ、９…通帳印字機構、１０…カード搬送機構、１１…明細票印字機構、１２…ジャーナル印字機構、１３…硬貨入出金機構、１４…紙幣入出金機構、１５…振込券発行機構、１６…制御部、１７…カード、１９…カード挿入検知センサ、２０…磁気検知センサ、２１…搬送ローラ、２２…通過検知センサ、２３…ヘッド、２４…モータ。
【図１】
2004292104.tif 000003
【図２】
2004292104.tif 000004
【図３】
2004292104.tif 000005
【図４】
2004292104.tif 000006